(57)【要約】      （修正有）【課題】難読の文字を機械で読み取らせる時に、語頭音を正しく読み取らせるべく、第一音を明示して把握する記名カードを提供する。【解決手段】紙片１に氏名欄２、住所欄３、関係欄４及び「あ、い、う、え、お、か、き、・・・」の五十音の記載欄５を設けて記名カード６とする。例えば、來会者の姓が「田中」である場合には、五十音中「た」に○印９を記すことにより、「田」の文字が略字化されて、読み取り困難であっても、五十音の印によって「た」を語頭音とすれば必然的に「たなか」と正しく発音するので、正しい名簿を作成することができる。【選択図】図１
0003171596.tif 000002
【実用新案登録請求の範囲】
【請求項１】
カードに、記名欄、住所欄及び五十音又は片仮名又は平仮名記載欄を設けたことを特徴とする記名カード。
【請求項２】
カードに記名欄、住所欄、五十音記載欄及び関係記載欄を設けると共に、切取線を介して引換券を連綴し、前記カードと引換券に同一番号を付したことを特徴とする記名カード。
【請求項３】
矩形カードの中央部に、記名欄と住所欄を上下にした区画を設け、前記区画の下部に五十音記載用の小区画を設けて、この小区画に五十音を順次書き入れ、適所に関係欄を設けると共に、切取線を介して引換券を連綴し、前記カードと引換券に同一番号を付したことを特徴とする記名カード。
【考案の詳細な説明】
【技術分野】
【０００１】
この考案は、祝儀又は葬儀など多数の來会者を自動機により間違いなく整理集計する時に使用することを目的とした記名カードに関する。
【背景技術】
【０００２】
従来、多人数の來会者がある場合には、記名カードへ住所、氏名を記入してもらい、この記名カードを機械処理して來会者名簿を作成しているが、氏名などの文字を読み間違えて整理不十分のために、資料不正確を生じるおそれがあった。
【先行技術文献】
【特許文献】
【０００３】
【特許文献１】特開２００２−３６２０６４号公報
【特許文献２】特開平８−１８５４５１号公報
【考案の概要】
【考案が解決しようとする課題】
【０００４】
従来、多人数の來会者があった場合に、來会者名簿は自動読み取り機を使用して、得た入力情報を整理し編集しているが、自動読み取り機で不正確に読み取ったがために、前記名簿の信頼度を低下させる問題点があった。
【課題を解決するための手段】
【０００５】
この考案は、來会者名簿を記入するカードの一部に「あ、い、う、え、お、か、き、・・・」よりなる五十音を記載しておき、記入されたカードを受け取る者が、氏名の読み方を確認し、頭文字の読みと一致する文字を前記五十音の中で指示することにより（例えば○を付ける）、読み取り機の間違いを是正し、正しく記録するようにしたものである。
【０００６】
例えば、姓が「伊藤」の場合には五十音中「い」に○印を付け、読み取り機の最初の読みが「い」で始まることを示しておけば、「伊藤」の「伊」の文字が不明瞭であっても「いとう」と読み取らせる。
【０００７】
一般に、読み取り機は、文字が不明瞭の場合に語頭音が判れば、該語頭音を持つ読み方を検索し、最も近い発音を採用するので、読み取り機の正確度を飛躍的に向上させることができる。
【０００８】
前記のように、最初の一字を指示するのみで、自動読み取り機の読み取り精度を向上させることに成功したのである。
【０００９】
前記において、五十音中の選定した文字にどのような印をするかは適宜定め、この印を読み取り機に記憶させておくことにより、読みにくい文字を比較的容易に、正しく読み取らせることができる。
【００１０】
例えば、氏が「伊藤」の場合に、「伊」の文字が読み取り難い草書で書かれていても、「あ、い、う、え、お、か、き、・・・」五十音中「い」を指定すれば、読み取り機の最初の読み音は「い」から始まることになる。即ち、「伊」が読み取り不能であっても、「い」と表示されることになるから、読み取り機の語頭音は「い」を固執し、「い」から始めれば次の文字と相俟って「いとう」以外の発音がなくなり、読み取り精度を向上させることができる。
【考案の効果】
【００１１】
この考案によれば、氏名中の最初の音を五十音中の一文字を指示することにより、読み取り機は指示された音を語頭音として発音するので、語頭音の文字が不明瞭な場合であっても、正しく発音することが格段に多くなる効果がある。従って、名簿の自動編成に際しても、発音の間違いを飛躍的に減少させる効果がある。
【図面の簡単な説明】
【００１２】
【図１】この考案の実施例の一部を省略した平面図。
【図２】同じく他の実施例の一部を省略した平面図。
【図３】同じく來会者名簿の一部平面図。
【考案を実施するための形態】
【００１３】
この考案は、カードに住所欄、氏名欄及びその他の記入事項欄を設けると共に、「あ、い、う、え、お、か、き、・・・」の五十音（又は「イ、ロ、ハ、・・・」）を記載し、氏名を称呼する場合の第一音を前記五十音中より選定し、適宜印を付けるようにしたものである。
【００１４】
従って、このカードを読み取り機にかけた場合に、読み取り機は第一音を前記印のある音で始めるようにしてあるので、氏を表す文字が著しく不明瞭であっても、第一音が正しければ全体の発音の正解率を飛躍的に向上させることができる。
【００１５】
前記は主として祝儀又は送葬における來会者を念頭において記載したが、前記に限定されることなく、多数の者が集まり同一目的で行動する場合のカードとして応用することができる。
【００１６】
この考案は、カードに、記名欄、住所欄及び五十音又は片仮名又は平仮名記載欄を設けたことを特徴とする記名カードである。
【００１７】
また、カードに記名欄、住所欄、五十音記載欄及び関係記載欄を設けると共に、切取線を介して引換券を連綴し、前記カードと引換券に同一番号を付したことを特徴とする記名カードである。
【００１８】
さらに、矩形カードの中央部に、記名欄と住所欄を上下にした区画を設け、前記区画の下部に五十音記載用の小区画を設けて、この小区画に五十音を順次書き入れ、適所に関係欄を設けると共に、切取線を介して引換券を連綴し、前記カードと引換券に同一番号を付したことを特徴とする記名カードである。
【実施例１】
【００１９】
この考案の実施例を図１に基づいて説明する。紙片１に氏名欄２、住所欄３、関係欄４及び「あ、い、う、え、お、か、き、・・・」の五十音の記載欄５を設けた記名カード６である。図中１０は金銭欄である。
【００２０】
前記において、來会者の姓が「田中」である場合には、五十音中「た」に○印９を記すことにより、「田」の文字が略字化されて、読み取り困難であっても、五十音の印によって「た」を語頭音とすれば必然的に「たなか」と正しく発音するので、正しい名簿を作成することができる。
【００２１】
この実施例の場合には、切取線７を介して引換券を付属させているので、來会者又は係の者が引換券を切り離し、記名カードのみを渡せば、引換券を別刷りにして渡す手間を省くことができる。
【００２２】
前記記名カード６と引換券には同一番号が付してあるので、前記記名カード６と引換券８を調査すれば、來会御礼などの品物を渡さなかった人を特定することができる。
【実施例２】
【００２３】
この考案の他の実施例を図２に基づいて説明する。紙片１に氏名欄２、住所欄３、関係欄４及び「あ、い、う、え、お、か、き、・・・」の五十音記載欄５を設けた記名カード６であるが、引換券を付属させていない点が実施例１と異なる。
【００２４】
この実施例は、実施例１から引換券をとったものに相当する。そこで、來会者の姓が「大岩」の場合に、「お」に○印９を付ければ「大」の字が読み難い草書、その他で記載されていても、機械は正しく「おお」と読み取ることができるので、正確な名簿を作成することができる。
【００２５】
前記実施例は、五十音記載欄５を設けたが、五十音に代えて４８文字の記載欄を設けても同様である。要は、姓の語頭音を仮名で指示し、語頭の読み違いを防止を目的としている。
【符号の説明】
【００２６】
１  紙片
２  氏名欄
３  住所欄
４  関係欄
５  五十音記載欄
６  記名カード
【図１】
0003171596.tif 000003
【図２】
0003171596.tif 000004
【図３】
0003171596.tif 000005
【手続補正書】
【提出日】平成23年9月7日(2011.9.7)
【手続補正１】
【補正対象書類名】実用新案登録請求の範囲
【補正対象項目名】全文
【補正方法】変更
【補正の内容】
【実用新案登録請求の範囲】
【請求項１】
カードの中央部に、記名欄と住所欄を並列して設け、該住所欄の下部に五十音又は片仮名又は平仮名記載欄を設けたことを特徴とする記名カード。
【請求項２】
カードの中央部に記名欄と住所欄を並列して設け、該住所欄の下部に五十音記載欄及び関係者記載欄を設けると共に、前記カードの側縁に切取線を介して引換券を連綴し、前記カードと引換券に同一番号を付したことを特徴とする記名カード。
【請求項３】
矩形カードの中央部に、記名欄と住所欄を上下にした区画を設け、前記区画の下部に五十音記載用の小区画を設けて、この小区画に五十音を順次書き入れ、住所欄の一側に関係欄を設けると共に、前記カードの側縁に切取線を介して引換券を連綴し、前記カードと引換券に同一番号を付したことを特徴とする記名カード。